(57)【要約】【課題】楽曲選曲装置において、各楽曲再生機器または楽曲再生機器で使用する記録媒体の識別と転送曲のチェックを行い、楽曲再生機器に転送する楽曲の制御を行うことで、複数の楽曲再生機器間において同じ楽曲が転送されないようにする。さらにコンピュータ側の楽曲ではなく、楽曲再生機器側の楽曲情報を元に印象情報を用いた選曲手段を使うことで、ユーザーの嗜好をより正確に反映した楽曲を転送する。【解決手段】コンピュータ上および楽曲再生機器上の楽曲の印象情報を抽出する手段と、楽曲再生機器の識別情報を読み取る手段と、抽出した楽曲再生機器側の印象情報を補正する手段と、コンピュータ上の楽曲を既に楽曲再生機器に転送したかどうか判断する手段を設ける。【選択図】図１
2007242150.tif 000002
【特許請求の範囲】
【請求項１】
コンピュータ上および楽曲再生機器上の楽曲の印象情報を抽出する楽曲印象抽出ステップと、楽曲再生機器の識別情報を読み取る機器識別ステップと、前記楽曲印象抽出ステップより抽出した印象情報と前記機器識別ステップより読み取った識別情報を関連付けてデータベースＸに登録するデータベースＸ登録ステップと、前記データベースＸにおいて異なる楽曲再生機器に関連付けられた印象情報が近い場合データベースＸ上の印象情報を補正する印象情報補正ステップと、コンピュータ上の楽曲の楽曲再生機器への転送情報をデータベースＹに登録するデータベースＹ登録ステップと、前記データベースＸ登録ステップと前記データベースＹ登録ステップで生成した情報をもとにコンピュータ上の楽曲の転送を行う楽曲転送ステップを有することを特徴とする楽曲選曲方法。
【請求項２】
前記楽曲再生機器は、とりはずし可能な記録媒体を仲介とすることを特徴とする、請求項１項に記載の楽曲選曲方法。
【請求項３】
前記印象情報補正ステップで、一定の距離間隔で個々の楽曲再生機器上の印象情報を補正することを特徴とする、請求項１または請求項２に記載の楽曲選曲方法。
【請求項４】
前記印象情報補正ステップで、楽曲再生機器を使用する場所の与える印象情報によって補正することを特徴とする、請求項１または請求項２に記載の楽曲選曲方法。
【請求項５】
前記印象情報補正ステップで、楽曲再生機器を使用する時間帯の与える印象情報によって補正することを特徴とする、請求項１または請求項２に記載の楽曲選曲方法。
【請求項６】
前記印象情報補正ステップで、楽曲再生機器を使用するときのユーザーの気分を推測して印象情報を補正することを特徴とする、請求項１または請求項２に記載の楽曲選曲方法。
【請求項７】
前記印象情報補正ステップで、前記楽曲再生機器を使用する時の天気によって印象情報を補正することを特徴とする、請求項１または請求項２に記載の楽曲選曲方法。
【請求項８】
前記印象情報補正ステップで、前記楽曲再生機器を使用するユーザーの動作によって印象情報を補正することを特徴とする、請求項１または請求項２に記載の楽曲選曲方法。
【請求項９】
請求項１から請求項８のいずれかの請求項に記載の楽曲選曲方法によって楽曲を選曲する楽曲選曲装置。
【請求項１０】
請求項１から請求項８のいずれかの請求項に記載の楽曲選曲方法を動作させるプログラム。
【請求項１１】
請求項１０に記載のプログラムを記録した媒体。
【発明の詳細な説明】
【技術分野】
【０００１】
本発明は、楽曲をコンピュータから楽曲再生機器に転送する場合で、コンピュータ上の楽曲情報を元に選曲するのではなく、すでに楽曲再生機器内に存在している楽曲の情報を元に選曲することで、それぞれの楽曲再生機器の使用シーンに合わせた楽曲を選曲することによって選曲範囲を絞り込む方法で、楽曲再生機器の楽曲蓄積容量が少ない場合、特にコンピュータ上の楽曲総容量が楽曲再生機器の記憶容量を上回る場合に有効な技術である。さらに楽曲再生機器の個々の識別を行うことで、それぞれの楽曲再生機器に転送する楽曲を記憶することにより楽曲の重複を避けることができ、多くの異なる楽曲を複数の楽曲再生機器に転送することができる。
【背景技術】
【０００２】
近年、コンピュータで楽曲管理を行う音楽ユーザーが増加してきた。それに伴い、パソコン上で動作する音楽管理ソフトウェアや、パソコンと接続することが可能な楽曲再生機器、もしくは楽曲再生機器で使用している記録媒体がたくさん登場するようになり、パソコンから楽曲再生機器への楽曲転送方法は、ユーザーにとっての使いやすさが非常に重要となってきた。
【０００３】
こうした状況のなか、最近ではパソコン上の楽曲の書誌情報やクオリティ情報を元に楽曲再生機器に楽曲を転送するというような方法もでてきた（例えば、特許文献１参照。）。このような方法では、書誌情報からユーザーが選択したアーティストを自動的に検索し、さらに自動的に転送することが可能である。しかしながら、現在の転送設定方法では、書誌情報やクオリティ情報による自動選曲および自動転送ができても、楽曲再生機器ごとに転送する楽曲を自動選曲する方法がない。
【特許文献１】特表２００５−５０７１３０号公報
【発明の開示】
【発明が解決しようとする課題】
【０００４】
従来の楽曲転送方法では、複数の楽曲再生機器に転送する場合、楽曲再生機器間において楽曲の重複チェックを行っていないため、全ての楽曲再生機器に同じ楽曲が転送されるという課題があった。また、パソコン側の楽曲を転送基準としており、ユーザーが実際に再生を行っている楽曲再生機器側の楽曲の嗜好をチェックしていないため、選曲基準がユーザーの嗜好に沿わない可能性があった。
【課題を解決するための手段】
【０００５】
上記課題を解決するために、各楽曲再生機器または楽曲再生機器で使用する記録媒体の識別と転送曲のチェックを行い、楽曲再生機器に転送する楽曲の制御を行う。また、コンピュータ側の楽曲情報ではなく、楽曲再生機器上の楽曲情報を元にコンピュータ上の楽曲を転送する。
【発明の効果】
【０００６】
楽曲再生機器上の楽曲には、コンピュータから楽曲再生機器に転送した楽曲のみではなく、ミニコンポから取り込んだ楽曲や携帯電話でダウンロードした配信楽曲などもあるため、楽曲再生機器側の楽曲情報をもとに選曲する方法は、ユーザーの嗜好をより正確に反映したものとなっている。各楽曲再生機器に転送する楽曲の制御を行うことで、楽曲再生機器または楽曲再生機器で使用する記録媒体の容量が少ない場合、複数の小容量の記憶媒体でひとつの大容量の記録媒体に代わることができる。さらに、選曲方法に印象情報を使うことで、楽曲再生機器の使用シーンに合った印象の楽曲をユーザーに提供することができ、各楽曲再生機器で異なる楽曲をユーザーのニーズに合わせた形で提供することが可能になる。
【発明を実施するための最良の形態】
【０００７】
（実施の形態１）
本発明の実施の形態１について、図面を参照しながら説明する。図１は本発明における楽曲選曲方法の全体構成を示している。図１は本発明の実施の形態１における楽曲選曲方法の全体構成を示している。図１において、１１はコンピュータ上にある楽曲２０および楽曲再生機器１９上の楽曲の印象情報を抽出する楽曲印象抽出手段、１２は楽曲再生機器１９の識別情報を読み取る機器識別手段、１３は楽曲印象抽出手段１１より抽出した楽曲再生機器１９上の楽曲の印象情報と機器識別手段１２より読み取った楽曲再生機器１９の識別情報を関連付けてデータベースＸ１７に登録するデータベースＸ登録手段、１４はデータベースＸ１７に記録している印象情報において、異なる楽曲再生機器１９に関連付けられた印象情報が近い場合データベースＸ１７上の印象情報を補正する印象情報補正手段、１５は楽曲印象抽出手段１１より抽出したコンピュータ上にある楽曲２０の印象情報と、楽曲再生機器１９への転送情報をデータベースＹ１８に登録するデータベースＹ登録手段、１６はデータベースＸ１７とデータベースＹ１８の情報をもとにコンピュータ上にある楽曲２０を楽曲再生機器１９に転送する楽曲転送手段、１７は楽曲再生機器１９に入っている楽曲ごとに、楽曲印象抽出手段１１より抽出した印象情報と機器識別手段１２より読み取った楽曲再生機器１９の識別情報を関連付けて格納するデータベースＸ、１８はコンピュータ上にある楽曲について、楽曲と楽曲印象抽出手段１１より抽出した印象情報と再生機器１９への転送情報を関連付けて格納するデータベースＹ，１９は楽曲再生機器、２０はコンピュータ上にある楽曲を表している。図２は、図１のデータベースＹ１８内にある印象情報と転送情報の構造の一例を示した図である。図３は、実施の形態１での処理の流れを示したフロー図である。
【０００８】
以上のように構成された楽曲選曲方法について、以下、その動きについて図１を用いて説明する。最初に、ユーザーによって楽曲再生機器１９への楽曲転送指示が行われると、楽曲印象抽出手段１１はコンピュータ上にある楽曲２０の1曲目である楽曲１を読み込み、印象情報である印象１を抽出し、データベースＹ登録手段１５は楽曲１と印象１と転送情報フラグ偽を関連付けてデータベースＹ１８に登録する。同様に、コンピュータ上にある楽曲２０全てにおいて、データベースＹ１８に登録する。次に、楽曲印象抽出手段１１は複数ある楽曲再生機器１９の1番目である楽曲再生機器Ａ１９に入っている1曲目の楽曲１´を読み込み、印象情報である印象１´を抽出し、機器識別手段１２は楽曲１´の楽曲再生機器Ａ１９の識別情報Ａ´を読み取り、データベースＸ登録手段１３は印象１´と識別情報Ａ´をデータベースＸ１７に登録する。このようにして、楽曲ごとに楽曲再生機器Ａ１９のすべての楽曲の印象情報と機器識別情報Ａ´を関連付けてデータベースＸ１７に登録し、２番目以降の楽曲再生機器１９についても同様に処理を行う。こうして、全ての楽曲再生機器１９の全ての楽曲の印象情報と識別情報がデータベースＸ１７へ登録されたら、印象情報補正手段１４はデータベースＸ１７に登録したデータを機器識別情報ごとに分類して、異なる楽曲再生機器１９同士で印象情報を比較し、印象情報が類似している場合は、どちらか一方、もしくは両方の印象情報を操作し、異なる楽曲再生機器１９での印象情報同士が一定以上の差異を保つようにする。データベースＸ１７の補正が終了後、楽曲選曲手段１６は、データベースＸ１７より転送する楽曲再生機器１９の印象情報を取得し、その印象情報に近い印象情報を持つ楽曲で、かつまだ全ての楽曲再生機器１９において転送されていない楽曲をデータベースＹ１８より選曲し、楽曲再生機器１９へ転送する。例えば、楽曲再生機器Ｂ１９に転送する場合、データベースＸ１７より印象情報として印象２´を取得し、データベースＹ１８で印象２´に類似する印象情報を持ち、どの楽曲再生機器１９にも転送されていない楽曲２を選曲する。選曲後、楽曲選曲手段１６は、データベースＹ１８において選曲した楽曲の転送情報を転送済みに変更する。データベースＹ１８の転送情報が図２の様であるならば、偽を真に変更する。
【０００９】
このように、楽曲再生機器１９に入っている楽曲の印象情報をもとにして、さらに異なる楽曲再生機器１９に転送する楽曲の印象が重複しないように調整しながら、それぞれの楽曲再生機器１９に転送する楽曲を選曲する。
【００１０】
なお、実施の形態１において、楽曲再生機器１９は、楽曲再生機器１９上のとりはずし可能な記録媒体としても構わない。楽曲抽出手段１１は、例えばユーザーによって楽曲再生機器１９への楽曲転送指示が行われる以前に、コンピュータ上にある楽曲２０を読み込み、印象情報を抽出してデータベースＹ１８に登録しても構わない。印象情報補正手段１４は、各楽曲の印象情報同士が一定以上の差異を保つようにするために、きめうちの値を設定して、従来の印象情報よりその値分増加、もしくは減少しても構わない。また、各楽曲再生機器１９の全楽曲の印象情報の平均値をその楽曲再生機器１９の代表の印象情報としても構わない。また、代表の印象情報を持つ楽曲の決定を、再生頻度によって行っても構わない。また、各楽曲再生機器１９の中にある、特定の楽曲の印象情報をその楽曲再生機器１９の代表の印象情報としても構わない。また、各楽曲再生機器１９の使用用途に合わせて、代表の印象情報を決めても構わない。例えば、楽曲再生機器１９の使用場所、使用時間帯、ジョギングやドライブなど使用時のユーザーの動作、楽曲再生機器１９使用時のユーザーの気分による情報としても構わない。楽曲再生機器１９使用時のユーザーの気分の例としては、車内で使用する場合はうきうきした気分、自宅リビングで使用する場合にはゆったりした気分、早朝のジョギング中に使用する場合は清々しい気分などがあげられる。またこれらの情報は楽曲選曲時の情報によって設定しても構わない。データベースＸ１７は、各楽曲再生機器１９の代表曲１つのみの情報を入れても構わない。その場合、代表曲の情報として、各楽曲再生機器１９において、全ての楽曲の印象情報の平均値をとったものでも構わない。楽曲抽出手段１１は、複数曲同時に印象情報を抽出しても構わない。楽曲抽出手段１１および機器識別手段１２は、楽曲再生機器１９上の楽曲から印象情報を抽出する代わりに、楽曲再生機器１９上のとりはずし可能な記録媒体上の楽曲から印象情報を抽出しても構わない。また、混在しても構わない。また、複数でなく単独でも構わない。
【産業上の利用可能性】
【００１１】
本発明は、すでに楽曲再生機器内に存在している楽曲の情報を元に選曲することで、それぞれの楽曲再生機器の使用シーンに合わせた楽曲を選曲することによって選曲範囲を絞り込む方法で、さらに楽曲再生機器の個々の識別を行うことで、それぞれの楽曲再生機器に転送する楽曲を記憶することにより楽曲の重複を避けることができ、楽曲再生機器の楽曲蓄積容量が少ない場合、特にコンピュータ上の楽曲総容量が楽曲再生機器の記憶容量を上回る場合に有効な技術のため、ハードディスクやメモリーを使ったポータブルオーディオ商品、カーオーディオ商品など小容量記録媒体を持つ音楽再生可能な装置、また音楽に限らず音声を伴った映像再生装置などで利用可能性がある。
【図面の簡単な説明】
【００１２】
【図１】本発明の実施の形態１に於ける楽曲選曲方法の全体構成を示した図
【図２】本発明の実施の形態１に於けるデータベースＹ１８内にある印象情報と転送情報の構造を示した図
【図３】本発明の実施の形態１に於ける処理の流れを示したフロー図
【符号の説明】
【００１３】
１１    楽曲印象抽出手段
１２    機器識別手段
１３    データベースＸ登録手段
１４    印象情報補正手段
１５    データベースＹ登録手段
１６    楽曲転送手段
１７    データベースＸ
１８    データベースＹ
１９    楽曲再生機器
２０    コンピュータ上にある楽曲
【図１】
2007242150.tif 000003
【図２】
2007242150.tif 000004
【図３】
2007242150.tif 000005